(57)【要約】【課題】本発明は、オーディオモジュール固定装置を提供する。【解決手段】本発明のオーディオモジュール固定装置は、ケース本体と、ケース本体に回動可能に枢着されるケース蓋体と、ケース本体に装着されるオーディオモジュールと、を備え、オーディオモジュールには弾性部材が固定された第一回動軸が設置され、第一回動軸には複数の第一歯が形成され、ケース本体には歯車が枢着され、歯車には複数の前記第一歯と噛み合う複数の第二歯が形成され、ケース本体に対してケース蓋体を閉じる場合、弾性部材は弾性変形し、オーディオモジュールはケース本体の内部に収容され、ケース本体に対してケース蓋体を開ける場合、弾性部材は弾性復帰するとともに第一回動軸を連動して回動させ、且つ第一歯と第二歯との噛み合いによって歯車は第一回動軸に連動されて回動して、オーディオモジュールは第一回動軸とともに回動してケース本体から緩やかに突出する。【選択図】図５
2014087053.tif 000002
【特許請求の範囲】
【請求項１】
ケース本体と、前記ケース本体に回動可能に枢着されるケース蓋体と、前記ケース本体に装着されるオーディオモジュールと、を備えてなるオーディオモジュール固定装置であって、
前記オーディオモジュールには弾性部材が固定された第一回動軸が設置され、前記第一回動軸から複数の第一歯が突出して形成され、前記ケース本体には歯車が枢着され、前記歯車には複数の前記第一歯と噛み合う複数の第二歯が突出して形成され、
前記ケース本体に対して前記ケース蓋体を閉じる場合、前記弾性部材は弾性変形して弾性力を蓄積し、前記オーディオモジュールは前記ケース本体の内部に収容され、前記ケース本体に対して前記ケース蓋体を開ける場合、前記弾性部材は弾性復帰するとともに前記第一回動軸を連動して回動させ、且つ前記第一歯と前記第二歯との噛み合いによって前記歯車は前記第一回動軸に連動されて回動して、前記オーディオモジュールは前記第一回動軸とともに回動して前記ケース本体から緩やかに突出することを特徴とするオーディオモジュール固定装置。
【請求項２】
前記弾性部材はコイル端及び自由端を備え、前記コイル端は前記第一回動軸に固定され、前記自由端は前記ケース本体に当接することを特徴とする請求項１に記載のオーディオモジュール固定装置。
【請求項３】
前記ケース本体から支持板が上に向かって垂直に延在して形成され、前記支持板の頂部には枢着スロットが凹んで形成され、前記第一回動軸は前記枢着スロットに枢着されることを特徴とする請求項１または２に記載のオーディオモジュール固定装置。
【請求項４】
前記歯車は第二回動軸を備え、複数の前記第二歯は前記第二回動軸の中央部を囲んで円形に配列され、前記支持板には第一取付孔が設けられ、前記ケース本体には第二取付孔が設けられ、前記歯車の第二回動軸は前記第一取付孔及び前記第二取付孔に枢着されることを特徴とする請求項３に記載のオーディオモジュール固定装置。
【請求項５】
前記第一回動軸の回動方向と前記歯車の回動方向とは反対であることを特徴とする請求項１から４のいずれか一項に記載のオーディオモジュール固定装置。
【請求項６】
前記オーディオモジュールは出音端面を備え、前記オーディオモジュールが前記ケース本体から突出すると、前記出音端面はユーザーに対面することを特徴とする請求項１から５のいずれか一項に記載のオーディオモジュール固定装置。
【発明の詳細な説明】
【技術分野】
【０００１】
本発明は、オーディオモジュール固定装置に関するものである。
【背景技術】
【０００２】
ノート型パソコンは、キーボードのような操作部を備えた本体及びディスプレイ部を備えた蓋体を備え、蓋体は回動軸によって本体の後部に回動可能に枢着される。本体には取付スロットが設けられており、オーディオモジュールは取付スロットに取り付けられる。オーディオモジュールは、複数の出音孔を備え、ノート型パソコンから出力される音を出すために用いられる。
【発明の概要】
【発明が解決しようとする課題】
【０００３】
しかし、オーディオモジュールの出音孔は、垂直に上に向かって音を出すだけで、直接ユーザーに向かって音を出すことができず、従って音の出力効果が理想的ではない。
【０００４】
本発明の目的は、前記課題を解決し、優れた音の出力効果を有するオーディオモジュール固定装置を提供することである。
【課題を解決するための手段】
【０００５】
前記目的を達成するため、本発明に係るオーディオモジュール固定装置は、ケース本体と、ケース本体に回動可能に枢着されるケース蓋体と、ケース本体に装着されるオーディオモジュールと、を備え、オーディオモジュールには弾性部材が固定された第一回動軸が設置され、第一回動軸から複数の第一歯が突出して形成され、ケース本体には歯車が枢着され、歯車には複数の前記第一歯と噛み合う複数の第二歯が突出して形成され、ケース本体に対してケース蓋体を閉じる場合、弾性部材は弾性変形して弾性力を蓄積し、オーディオモジュールはケース本体の内部に収容され、ケース本体に対してケース蓋体を開ける場合、弾性部材は弾性復帰するとともに第一回動軸を連動して回動させ、且つ第一歯と第二歯との噛み合いによって歯車は第一回動軸に連動されて回動して、オーディオモジュールは第一回動軸とともに回動してケース本体から緩やかに突出する。
【発明の効果】
【０００６】
本発明に係るオーディオモジュール固定装置において、ケース本体に対してケース蓋体を開ける場合、弾性部材は弾性復帰するとともに第一回動軸を連動して回動させ、オーディオモジュールは第一回動軸とともに回動して、オーディオモジュールはケース本体の取付スロットから突出してユーザーに対面するので、音の出力効果を向上させることができ、且つ第一回動軸の第一歯と歯車の第二歯との噛み合いによって歯車は第一回動軸に連動されて回動するので、オーディオモジュールはケース本体の取付スロットから緩やかに突出する。
【図面の簡単な説明】
【０００７】
【図１】本発明の実施形態に係るオーディオモジュール固定装置の分解斜視図である。
【図２】図１に示すＢ部分の拡大図である。
【図３】図１に示すＣ部分の拡大図ある。
【図４】図１に示すオーディオモジュール固定装置の組立斜視図である。
【図５】図４に示すＥ部分の拡大図ある。
【発明を実施するための形態】
【０００８】
図１〜図３を参照すると、本発明の実施形態に係るオーディオモジュール固定装置は、ケース本体１０と、ケース本体１０に回動可能に枢着されるケース蓋体２０と、ケース本体１０に回動可能に装着されるオーディオモジュール３０と、を備える。
【０００９】
ケース本体１０は、頂板１１及び底板１２を備える。頂板１１には、細長いオーディオモジュール３０を収容するための細長い取付スロット１１１が設けられている。オーディオモジュール３０の両端には第一回動軸３１がそれぞれに設置され、弾性部材３２がそのうちの一方の第一回動軸３１を囲むように設置される。弾性部材３２はコイル端３２１及び自由端３２２を備え、コイル端３２１は第一回動軸３１に固定される。弾性部材３２が設置された第一回動軸３１の一端には、複数の第一歯３１１が下に向かって突出して形成される。オーディオモジュール３０の長手方向の１つの側面は出音端面３３であり、出音端面３３には複数の出音孔３３１が設けられる。本実施形態において、弾性部材３２はトーションバネである。
【００１０】
底板１２の上表面から２つの支持板１２１が上に向かって垂直に延在して形成され、そのうちの一方の支持板１２１の頂部には弧形の枢着スロット１２２が凹んで形成され、弾性部材３２が設置された第一回動軸３１は弧形の枢着スロット１２２に枢着され、他方の第一回動軸３１は、他方の支持板１２１に枢着される。底板１２には、さらに歯車４０が回動可能に枢着される。歯車４０は、第二回動軸４２及び第二回動軸４２の中央部を囲んで円形に排列される複数の第二歯４１を備え、複数の第二歯４１は複数の第一歯３１１と噛み合う。枢着スロット１２２が形成された第一支持板１２１には第一取付孔１２３が設けられ、底板１２の第一取付孔１２３に対向する箇所には第二取付孔１２４が設けられ、第二回動軸４２の両端は第一取付孔１２３及び第二取付孔１２４に枢着される。第二回動軸４２の寸法は、第一取付孔１２３及び第二取付孔１２４の寸法と同じである。
【００１１】
図１〜図５を参照すると、オーディオモジュール３０をケース本体１０に取り付ける場合、先ず、オーディオモジュール３０を底板１２に載置して、弾性部材３２が設置された第一回動軸３１を一方の支持板１２１の枢着スロット１２２に装着し、他方の第一回動軸３１を他方の支持板１２１に取り付ける。次に、歯車４０の第二回動軸４２の両端を第一取付孔１２３及び第二取付孔１２４に貫通させて、第二歯４１と第一歯３１１とが噛み合うようにする。次に、頂板１１を底板１２に取り付けて、オーディオモジュール３０を頂板１１の取付スロット１１１の内部に収容する。この時、オーディオモジュール３０の出音端面３３は頂板１１の上表面の上方に位置するので、複数の出音孔３３１は頂板１１の取付スロット１１１から露出する。頂板１１の下表面は弾性部材３２の自由端３２２に当接し、弾性部材３２は若干弾性変形して初期状態になる。最後に、ケース蓋体２０をケース本体１０に回動可能に枢着する。
【００１２】
ケース本体１０に対してケース蓋体２０を閉じる場合、ケース蓋体２０はオーディオモジュール３０の上表面を持続的に押圧するので、オーディオモジュール３０は２つの第一回動軸３１を連動して第一方向に沿って回動する。弾性部材３２の自由端３２２は一方の第一回動軸３１に随って第一方向に沿って回動するが、弾性部材３２の自由端３２２は頂板１１の下表面に当接するので、弾性部材３２は持続的に弾性変形して弾性力を蓄積する。ケース蓋体２０を完全に閉じると、オーディオモジュール３０の出音端面３３は取付スロット１１１に収容されて、複数の出音孔３３１が頂板１１の取付スロット１１１から露出しない。
【００１３】
ケース本体１０に対してケース蓋体２０を開ける場合、ケース蓋体２０はオーディオモジュール３０の上表面を押圧しないので、弾性部材３２は弾性復帰して一方の第一回動軸３１を連動して第二方向に沿って回動する。歯車４０の第二歯４１は弾性部材３２が設置された第一回動軸３１の第一歯３１１と噛み合うので、歯車４０は弾性部材３２が設置された第一回動軸３１に連動されて第一方向に沿って回動する。オーディオモジュール３０は弾性部材３２が設置された第一回動軸３１とともに第二方向に沿って回動して、オーディオモジュール３０の出音端面３３は取付スロット１１１から突出して、複数の出音孔３３１は取付スロット１１１から露出してユーザーに対面する。第一方向と第二方向とは反対であり、第一方向は反時計回り方向であり、第二方向は時計回り方向である。弾性部材３２が弾性復帰するときに、歯車４０によって弾性部材３２が瞬間的に解放する弾性力を緩衝するので、出音端面３３は取付スロット１１１から緩やかに突出することができる。
【００１４】
本発明のオーディオモジュール固定装置は、ケース本体１０に対してケース蓋体２０を開ける場合、弾性部材３２は弾性復帰するとともに第一回動軸３１を連動して回動させ、オーディオモジュール３０は第一回動軸３１とともに回動して、オーディオモジュール３０の出音端面３３はケース本体１０の取付スロット１１１から突出してユーザーに対面するので、出音端面３３の出音孔３３１の音の出力効果を向上させることができ、且つ第一回動軸３１の第一歯３１１と歯車４０の第二歯４１との噛み合いによって歯車４０は第一回動軸３１に連動されて回動するので、オーディオモジュール３０の出音端面３３はケース本体１０の取付スロット１１１から緩やかに突出する。
【００１５】
以上、本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【００１６】
１０  ケース本体
１１  頂板
１２  底板
２０  ケース蓋体
３０  オーディオモジュール
３１  第一回動軸
３２  弾性部材
３３  出音端面
４０  歯車
４１  第二歯
１１１  取付スロット
１２１  支持板
１２２  枢着スロット
１２３  第一取付孔
１２４  第二取付孔
３１１  第一歯
３２１  コイル端
３２２  自由端
３３１  出音孔
【図１】
2014087053.tif 000003
【図２】
2014087053.tif 000004
【図３】
2014087053.tif 000005
【図４】
2014087053.tif 000006
【図５】
2014087053.tif 000007